(57)【要約】【課題】テープカッターに取り付けられた粘着テープにおける引出し状態の粘着テープが折れ曲がって、引出し状態の粘着テープの先端側がその後端側に接着するのを防止することができる粘着テープカッターを提供する。【解決手段】テープカッター５には、巻き粘着テープを回転自在に支持する回転軸１４と、巻き粘着テープから引き出した粘着テープの左右両端部を下側の粘着面側でガイドするテープガイド５０ａ、５０ｂと、該テープガイド５０ａ、５０ｂにガイドされた粘着テープを非粘着面側から接着位置に押し当てて回転させながら粘着テープの接着位置に貼り付けるためのガイドローラ６０と、該一対のテープガイドにおける各テープガイドに垂下した状態で設けられた舌状部で、帯状を呈する舌状部８０ａ、８０ｂと、を有している。【選択図】図１
0003126661.tif 000002
【実用新案登録請求の範囲】
【請求項１】
粘着テープカッターであって、
巻き粘着テープを回転自在に支持する回転軸と、
巻き粘着テープから引き出した粘着テープの左右両端部を下側の粘着面側でガイドするテープガイドで、左右一対互いに対向して設けられたテープガイドと、
該テープガイドにガイドされた粘着テープを非粘着面側から接着位置に押し当てて回転させながら粘着テープの接着位置に貼り付けるためのガイドローラと、
該一対のテープガイドにおける各テープガイドに垂下した状態で設けられた舌状部と、
を有することを特徴とする粘着テープカッター。
【請求項２】
上記舌状部が、帯状を呈することを特徴とする請求項１に記載の粘着テープカッター。
【請求項３】
上記舌状部が柔軟性のある素材により形成されていることを特徴とする請求項１又は２に記載の粘着テープカッター。
【請求項４】
上記テープガイドが、
円筒状の本体部で、内部から外部に舌状部を露出させるための溝部が形成された本体部と、
該本体部に嵌装する差込み部で、舌状部の基端側を本体部との間で挟んだ状態として固定する差込み部と、
を有することを特徴とする請求項１又は２又は３に記載の粘着テープカッター。
【請求項５】
本体部が、その内周面に突状部を有し、差込み部がその外周面に該突状部に対応した凹部を有し、さらに、差込み部には、舌状部の端部を差し込むための溝部を有することを特徴とする請求項４に記載の粘着テープカッター。
【請求項６】
舌状部が、面ファスナーに用いられるフックテープであることを特徴とする請求項１又は２又は３又は４又は５に記載の粘着テープカッター。
【請求項７】
舌状部のテープガイドから露出した部分の長さが、２０〜２５ｍｍであることを特徴とする請求項１又は２又は３又は４又は５又は６に記載の粘着テープカッター。
【考案の詳細な説明】
【技術分野】
【０００１】
本考案は、粘着テープカッターに関するものである。
【背景技術】
【０００２】
従来のテープカッター１０５は、図１０のように構成され、主側面パネル１１２と、回転軸１１４とを有する本体部１１０と、ガイド板部１２０と、上面部１３０と、副側面パネル１４０と、主側面パネル１１２と副側面パネル１４０との間に回転可能に設けられたガイドローラ１６０と、一対のテープガイド１５０ａ、１５０ｂと、刃部１７０とが設けられた構成となっている。このテープガイド１５０ａ、１５０ｂは、主側面パネル１１２と副側面パネル１４０とからそれぞれ内側に対向して突出している。
【０００３】
この図１０に示す従来のテープカッターの使用状態としては、粘着テープの巻き芯に回転軸１１４に装着して、粘着テープを回転軸１１４に対して回転可能な状態とし、引出し状態の粘着テープの先端部をテープガイド１５０ａ、１５０ｂとガイドローラ１６０との間を通して、テープカッターの先端側に引き出す。つまり、テープ先端側をテープガイド１５０ａ、１５０ｂの上側を通し、さらに、ガイドローラ１６０の下側を通して、テープカッターの先端側に引き出す。この場合、粘着テープの非接着面側がガイドローラ１６０側となる。そして、引出し状態の粘着テープの先端部を接着部位に貼り付けて、その後、ガイドローラ１６０を粘着テープの上から該接着部位に押しつけて、その状態で、テープカッターを手前方向に引いていく。粘着テープの接着部位への貼り付けが完了したら、刃部１７０により粘着テープを切断する。
【０００４】
また、出願人は、先行技術文献として、特許文献１と特許文献２を知得している。
【特許文献１】特開平１１−３３４９８２号公報
【特許文献２】登録実用新案第３０９２１７６号公報
【考案の開示】
【考案が解決しようとする課題】
【０００５】
しかし、上記図１０に示すテープカッターにおいては、テープガイド１５０ａ、１５０ｂが設けられているのみであるので、引出し状態の粘着テープ（巻回状態の粘着テープ（つまり、引き出す前の状態の粘着テープ）から引き出して剥がした状態の粘着テープ）がテープガイド１５０ａ、１５０ｂの箇所を基端に折れ曲がって、引出し状態の粘着テープの先端側の粘着面が、引出し状態の粘着テープのテープガイド１５０ａ、１５０ｂよりも後端側の部分の粘着面に接着してしまい、次回に粘着テープを使用する場合に、引出し状態の粘着テープの先端を剥がさなければならないという問題がある。このような問題は、巻回状態の粘着テープの量が少なくなった場合に、テープガイド１５０ａ、１５０ｂと巻回状態の粘着テープの表面との間隔が大きくなることから生じやすい。
【０００６】
上記のような問題は、特許文献１や特許文献２の場合にも生じ、特に、特許文献２の場合には、仮貼付部１６が設けられているが、仮貼付部１６を基点として引出し状態の粘着テープが折れ曲がって、引出し状態の粘着テープの先端側の粘着面が、引出し状態の粘着テープの後端側の粘着面に接着してしまうという問題が生じる。
【０００７】
そこで、本発明は、テープカッターに取り付けられた粘着テープにおける引出し状態の粘着テープが折れ曲がって、引出し状態の粘着テープの先端側がその後端側に接着するのを防止することができる粘着テープカッターを提供することを目的とするものである。
【課題を解決するための手段】
【０００８】
本考案は上記問題点を解決するために創作されたものであって、第１には、粘着テープカッターであって、巻き粘着テープを回転自在に支持する回転軸と、巻き粘着テープから引き出した粘着テープの左右両端部を下側の粘着面側でガイドするテープガイドで、左右一対互いに対向して設けられたテープガイドと、該テープガイドにガイドされた粘着テープを非粘着面側から接着位置に押し当てて回転させながら粘着テープの接着位置に貼り付けるためのガイドローラと、該一対のテープガイドにおける各テープガイドに垂下した状態で設けられた舌状部と、を有することを特徴とする。
【０００９】
上記第１の構成のテープカッターにおいては、回転軸に粘着テープを装着し、粘着テープから引き出した引出し状態の粘着テープの先端部をテープガイド５０ａ、５０ｂとガイドローラ６０との間を通して、テープカッター５の先端側に引き出す。この場合、粘着テープの接着面側がテープガイド側となり、粘着テープの非接着面側がガイドローラ側となるようにする。そして、引出し状態の粘着テープの先端部を接着部位に貼り付けて、その後、ガイドローラを粘着テープの上から該接着部位に押しつけて、その状態で、テープカッターを手前方向に引いていく。粘着テープの接着部位への貼り付けが完了したら、粘着テープを切断する。
【００１０】
粘着テープを装着した状態のテープカッターを使用しない場合には、引出し状態の粘着テープは、テープガイドとガイドローラの間から正面側に突出した状態となっているが、舌状部が設けられているので、引出し状態の粘着テープの先端側がテープガイドを基点として折れ曲がっても、引出し状態の粘着テープの先端部がその後端側に接着してしまうのを防止することができる。つまり、引出し状態の粘着テープの折れ曲がり接着を防止することができる。また、一対の舌状部が各テープガイドから垂下しているので、舌状部が邪魔になることがない。
【００１１】
また、第２には、上記第１の構成において、上記舌状部が、帯状を呈することを特徴とする。これにより、一対の舌状部が所定の間隔を介して設けられるので、舌状部が邪魔になるのを効率よく防止することができる。
【００１２】
また、第３には、上記第１又は第２の構成において、上記舌状部が柔軟性のある素材により形成されていることを特徴とする。これにより、舌状部は柔軟性のある素材により形成されているので、テープガイドに対して角度を自由に変えることができ、舌状部が邪魔になることがない。また、舌状部は柔軟性のある素材により形成されているので、舌状部の露出した部分の途中位置でも折れ曲がることができ、その意味でも舌状部が邪魔になることがない。
【００１３】
また、第４には、上記第１又は第２又は第３の構成において、上記テープガイドが、円筒状の本体部で、内部から外部に舌状部を露出させるための溝部が形成された本体部と、該本体部に嵌装する差込み部で、舌状部の基端側を本体部との間で挟んだ状態として固定する差込み部と、を有することを特徴とする。以上のような構成とすることにより、舌状部をテープガイドに固定することができる。
【００１４】
また、第５には、上記第４の構成において、本体部が、その内周面に突状部を有し、差込み部がその外周面に該突状部に対応した凹部を有し、さらに、差込み部には、舌状部の端部を差し込むための溝部を有することを特徴とする。よって、舌状部をテープガイドに対して容易に脱落しないように固定することができる。
【００１５】
また、第６には、上記第１から第５までのいずれかの構成において、舌状部が、面ファスナーに用いられるフックテープであることを特徴とする。よって、舌状部をフックテープのフックが設けられている面を正面側にして設けることにより、引出し状態の粘着テープが舌状部に接着することがなく、粘着テープが舌状部に接着することによる不具合（例えば、粘着テープを剥がす手間）を防止することができる。
【００１６】
また、第７には、上記第１から第６までのいずれかの構成において、舌状部のテープガイドから露出した部分の長さが、２０〜２５ｍｍであることを特徴とする。
【考案の効果】
【００１７】
本考案に基づく粘着テープカッターによれば、舌状部が設けられているので、舌状部が設けられているので、引出し状態の粘着テープの先端側がテープガイドを基点として折れ曲がっても、引出し状態の粘着テープの先端部がその後端側に接着してしまうのを防止することができる。つまり、引出し状態の粘着テープの折れ曲がり接着を防止することができる。また、一対の舌状部が各テープガイドから垂下しているので、舌状部が邪魔になることがない。
【考案を実施するための最良の形態】
【００１８】
本考案においては、テープカッターに取り付けられた粘着テープにおける引出し状態の粘着テープが折れ曲がって、引出し状態の粘着テープの先端側がその後端側に接着するのを防止することができる粘着テープカッターを提供するという目的を以下のようにして実現した。
【００１９】
本考案に基づくテープカッター（粘着テープカッター）５は、図１〜図９に示すように構成され、本体部１０と、ガイド板部２０と、支持部３０と、副側面パネル４０と、テープガイド５０ａ、５０ｂと、ガイドローラ６０と、刃部７０と、舌状部８０ａ、８０ｂと、刃部カバー９０と、を有している。なお、図１〜図８においては、刃部カバー９０を省略して描いている。また、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２０】
ここで、本体部１０は、主側面パネル１２と、回転軸１４とを有している。この主側面パネル１２は、図３に示すように、正面側（Ｘ１側）が尖った形状を呈するとともに、背面側（Ｘ２側）が円弧状の外形を有する板状部材である。この主側面パネル１２の上端の略中央付近には、ガイド板部２０を軸支するための突状部が形成されている。また、主側面パネル１２の正面側の先端部分１２ａは、略逆三角形状の板状を呈している。この先端部分１２ａの正面側の先端には、刃部カバー９０が嵌合するための凹部１２ｂが形成されている。
【００２１】
また、回転軸１４は、略円筒状の筒状を呈し、その左側面側（Ｙ２側）の端部が主側面パネル１２と連設されている。つまり、回転軸１４の軸線は、Ｙ１−Ｙ２方向を向いていて、回転軸１４の外周面に粘着テープ（具体的には、巻き粘着テープ）を回転可能に支持するようになっている。
【００２２】
また、ガイド板部２０は、略長方形状の板状を呈し、背面側以外の部分が平板状の板状を呈するとともに、背面側が略円弧状に湾曲した形状を呈し、その正面側の端部が、主側面パネル１２と副側面パネル４０に軸支されている。つまり、ガイド板部２０の正面側で左側面側の端部は、主側面パネル１２の上端の略中央位置に設けられた軸部１２−１に軸支されていて、一方、ガイド板部２０の正面側で右側面側の端部は、副側面パネル４０の上端の後端位置に設けられた軸部１２−２に軸支されている。これにより、ガイド板部２０は、上下方向に所定範囲で回動するように構成されている。
【００２３】
また、支持部３０は、主側面パネル１２の先端部分１２ａの上端から右側面側（Ｙ１側）に突出して設けられ、その上面側は平面状を呈するとともに、その正面側は、下方に傾斜した形状を呈している。
【００２４】
また、副側面パネル４０は、略逆三角形状の板状を呈し、支持部３０の右側面側に主側面パネル１２と略平行に設けられている。つまり、この副側面パネル４０は、主側面パネル１２の先端部分１２ａと略同一の形状を呈している。なお、副側面パネル４０の後端位置には、ガイド板部２０を軸支するための突状部が形成されている。また、副側面パネル４０の正面側の先端には、刃部カバー９０が嵌合するための凹部４０ａが形成されている。つまり、粘着テープカッター５の正面側の両側には、一対の凹部１２ｂ、４０ａが設けられ、刃部カバー９０が嵌合するようになっている。なお、上記本体部１０と、ガイド板部２０と、支持部３０と、副側面パネル４０とでテープカッター本体を構成している。
【００２５】
また、テープガイド５０ａ、５０ｂは、ともに略円柱状の外形を呈し、主側面パネル１２と副側面パネル４０に互いに対向して設けられている。つまり、主側面パネル１２の先端部分１２ａの内側の面の下端に副側面パネル４０側に向けてテープガイド５０ａが設けられているとともに、副側面パネル４０の内側の面の下端に先端部分１２ａ側に向けてテープガイド５０ｂが設けられている。
【００２６】
テープガイド５０ａとテープガイド５０ｂとは、互いに対称の形状となっているので、テープガイド５０ａを例に取って説明すると、テープガイド５０ａは、図５、図６に示すように、筒状部５２と、差込み部５４とから構成されている。この筒状部５２は、筒状部本体５２ａと、溝部５２ｂと、突状部５２ｃとを有している。この筒状部本体５２ａは、略円筒状の部材であり、溝部５２ｂは、筒状部本体５２ａの下側に筒状部本体５２ａの軸線方向の全長に渡って設けられている。この溝部５２ｂは、筒状部本体５２ａの外側と内側とを連通するように形成されている。この溝部５２ｂは、舌状部８０ａをテープガイド５０ａの内側から外側に突出させるために形成されている。また、突状部５２ｃは、筒状部本体５２ａの内面に略半円柱状に形成され、筒状部本体５２ａの軸線方向の全長に渡って形成されている。この突状部５２ｃは、舌状部８０ａの凹部に嵌装することにより、舌状部８０ａがテープガイド５０ａから脱落するのを防止するために形成されている。なお、筒状部本体５２ａの軸線方向は、左右方向（Ｙ１−Ｙ２方向）となっている。
【００２７】
また、差込み部５４は、筒状部５２に差し込むための部材であり、筒状部５４ａと、頭部５４ｄとを有している。筒状部５４ａは、円筒状の部材に凹部５４ｂと溝部５４ｃを設けた形状を呈していて、円筒状の外径が筒状部５２の内径よりも小さく形成されていて、具体的には、筒状部５４ａの外径（直径）は、筒状部５２の内径（直径）よりも舌状部８０ａが収まる厚み分小さく形成されている。具体的には、筒状部５４ａの外径（直径）は、筒状部５２の内径（直径）から舌状部８０ａの厚みを２倍した長さを減算した大きさとなっている。また、筒状部５４ａの外周面には、筒状部５２の突状部５２ｃに対応した半円柱状の凹部５４ｂが筒状部５４ａの軸線方向の全長に渡って形成され、さらに、筒状部５４ａの側面には、舌状部８０ａの端部８０ａ−１を差し込むための溝部５４ｃが筒状部５４ａの軸線方向の全長に渡って形成されている。この溝部５４ｃは、筒状部５４ａの外周面から内周面に連通している。また、頭部５４ｄは、筒状部５４ａの上端に設けられ、上面がドーム状を呈し、底面は平面状を呈している。この頭部５４ｄの径（直径）は、筒状部５２の外径と略同一となっている。
【００２８】
なお、テープガイド５０ｂの構成は、テープガイド５０ａと対称に形成されている以外は同様の構成であるので、詳しい説明を省略する。つまり、テープガイド５０ｂとテープガイド５０ａは、垂直方向及び前後方向の中心面を介して面対称の構成となっている。
【００２９】
なお、差込み部５４において、筒状部５４ａが設けられているものとして説明したが、円柱状の形状に凹部５４ｂや溝部５４ｃを設けた構成としてもよい。
【００３０】
また、ガイドローラ６０は、略円柱状を呈し、主側面パネル１２の先端部分１２ａと副側面パネル４０間に回転可能に軸支されている。つまり、ガイドローラ６０は、Ｙ１−Ｙ２方向の軸線を中心に回転可能に軸支されている。
【００３１】
また、刃部７０は、支持部３０の先端に設けられている。
【００３２】
また、舌状部８０ａや舌状部８０ｂは、舌状を呈する帯状部材であり、布、ナイロン等の樹脂等の柔軟性のある素材により形成されている。具体的には、フックテープとループテープとから構成される面ファスナーにおけるフックテープを用いるのが好ましい。つまり、フックテープをそのフック形成面をテープカッターの正面側にして設けることにより、粘着テープは、フックテープのフック形成面に接着しにくく、良好な結果となった。
【００３３】
ここで、舌状部８０ａはテープガイド５０ａに設けられ、舌状部８０ｂはテープガイド５０ｂに設けられている。舌状部８０ａをテープガイド５０ａへの取付け状態は、図６、図８に示すように、舌状部８０ａの端部８０ａ−１を差込み部５４の筒状部５４ａの溝部５４ｃに差し込み、筒状部５４ａの外周面に巻き付けた状態で（少なくとも凹部５４ｂの部分も巻き付ける）差込み部５４を筒状部５２に差し込む。その際、舌状部８０ａが溝部５２ｂから外部に露出するようにする。また、舌状部８０ａの取付け方向としては、フックテープが設けられた面を正面側とする。このようにすることにより、舌状部８０ａは、その端部８０ａ−１が差込み部５４の溝部５４ｃに差し込まれ、また、突状部５２ｃと凹部５４ｂの位置で舌状部８０ａに湾曲状部８０ａ−２が形成されて、この湾曲状部８０ａ−２が突状部５２ｃと凹部５４ｂに係止した状態となるので、舌状部８０ａをテープガイド５０ａから容易に外れないようにすることができる。
【００３４】
舌状部８０ｂのテープガイド５０ｂへの取付け状態は、舌状部８０ａのテープガイド５０ａへの取付け状態と同様であるので、詳しい説明を省略する。
【００３５】
なお、舌状部８０ａ、８０ｂの幅は、６〜１２ｍｍ（好ましくは、８〜１０ｍｍ）とするのが好ましく、また、テープガイド５０ａ、５０ｂから露出した部分の長さは、１５ｍｍ〜２５ｍｍ程度が好ましい。つまり、舌状部８０ａ、８０ｂの先端がテープカッター５に装着された粘着テープの表面に接する程度の長さとするのが好ましい。
【００３６】
また、刃部カバー９０は、刃部７０に装着するためのカバーであり、テープカッター５を使用しない場合に、刃部７０をカバーするものである。この刃部カバー９０は、略コ字状を呈する部材であり、主側面パネル１２の先端部分１２ａの正面側の先端に刃部カバー９０を装着するための凹部１２ｂが設けられ、副側面パネル４０の正面側の先端に刃部カバー９０を装着するための凹部４０ａが設けられているので、これら一対の凹部１２ｂ、４０ａに刃部カバー９０を装着する。
【００３７】
上記構成のテープカッター５の使用状態について説明する。テープカッター５を使用するに当たっては、テープカッター５に粘着テープを装着する。つまり、巻き粘着テープの巻き芯の穴部に回転軸１４を挿通させて、この回転軸１４に粘着テープを回転可能に装着する。その際、テープを引き出した際に、Ｙ１側からの側面視において、粘着テープが左回りとなるように粘着テープを装着する。
【００３８】
そして、図８に示すように、粘着テープ（巻き粘着テープ）Ｔにおける引出し状態の粘着テープＴａ（この引出し状態の粘着テープＴａは、粘着テープＴにおいて巻回状態から引き出した状態のものをいう）をテープガイド５０ａ、５０ｂとガイドローラ６０との間を通して、テープカッター５の先端側に引き出す。つまり、引出し状態の粘着テープＴａをテープガイド５０ａ、５０ｂの上側を通し、さらに、ガイドローラ６０の下側を通して、テープカッター５の先端側に引き出す。この場合、粘着テープの接着面側がテープガイド５０ａ、５０ｂ側となり、粘着テープの非接着面側がガイドローラ６０側となる。
【００３９】
そして、引出し状態の粘着テープＴａの先端部を接着部位に貼り付けて、その後、ガイドローラ６０を引出し状態の粘着テープＴａの上から該接着部位に押しつけて、その状態で、テープカッター５を手前方向に引いていく。粘着テープの接着部位への貼り付けが完了したら、刃部７０により粘着テープを切断する。
【００４０】
粘着テープを装着した状態のテープカッター５を使用しない場合には、引出し状態の粘着テープＴａは、テープガイド５０ａ、５０ｂとガイドローラ６０の間から正面側に突出した状態となっているが、舌状部８０ａ、８０ｂが設けられているので、引出し状態の粘着テープＴａの先端側がテープガイド５０ａ、５０ｂの箇所で折れ曲がって、該先端側の粘着面が引出し状態の粘着テープＴａの後端側の粘着面に接着してしまうことがない。また、引出し状態の粘着テープＴａの突出した長さがある程度長い場合でも、巻き状態の粘着テープＴｂ（この巻き状態の粘着テープＴｂとは、粘着テープＴにおいて巻き状態にある部分をいい、粘着テープＴから引出し状態の粘着テープＴａを除いた部分である）の正面側が舌状部８０ａ、８０ｂによりガードされているので、引出し状態の粘着テープＴａが容易に巻き状態の粘着テープＴｂの表面に接着してしまうことがない。
【００４１】
また、舌状部８０ａがテープガイド５０ａから垂下し、舌状部８０ｂがテープガイド５０ｂから垂下していて、一対の舌状部８０ａ、８０ｂが所定の間隔を介して設けられているので、舌状部８０ａ、８０ｂが邪魔になることがない。例えば、引出し状態の粘着テープＴａをテープガイド５０ａ、５０ｂとガイドローラ６０との間に通す場合でも、一対の舌状部８０ａ、８０ｂの下側から舌状部８０ａ、８０ｂ間の隙間に通して、結果として、引出し状態の粘着テープＴａをテープガイド５０ａ、５０ｂとガイドローラ６０との間に導くことができる。つまり、舌状部が上記実施例のように両側に一対設けられておらず、１枚の舌状部のみで形成されていて、巻き状態の粘着テープＴｂの正面側を広くガードする場合には、上記のような作業ができず舌状部が邪魔になるが、本実施例ではそのようなおそれがない。
【００４２】
また、舌状部８０ａ、８０ｂは、布等の柔軟性のある素材により形成されているので、テープガイド５０ａ、５０ｂの箇所で折れ曲がってテープガイド５０ａ、５０ｂに対して角度を自由に変えることができて、テープガイド５０ａ、５０ｂに対して回動した状態とすることができ、その意味でも、舌状部８０ａ、８０ｂが邪魔になることがない。また、舌状部８０ａ、８０ｂは、布等の柔軟性のある素材により形成されているので、舌状部８０ａ、８０ｂの露出した部分の途中位置でも折れ曲がることができ、その意味でも舌状部８０ａ、８０ｂが邪魔になることがない。
【００４３】
また、舌状部８０ａ、８０ｂの正面側はフックが形成された状態となっているので、舌状部８０ａ、８０ｂ自体にも粘着テープが接着しにくいものとすることができる。これにより、引出し状態の粘着テープが舌状部８０ａ、８０ｂに接着することによる不具合（例えば、粘着テープを剥がす手間）を防止することができる。
【００４４】
なお、上記の説明において、舌状部８０ａ、８０ｂは、フックテープにより形成されているとして説明したが、これには限られず他の柔軟性のある素材により形成してもよく、また、柔軟性のある素材でなくても、例えば、硬質の板状の樹脂素材により形成してもよい。
【図面の簡単な説明】
【００４５】
【図１】本発明の実施例に基づくテープカッターの右側面側からの前方斜視図である。
【図２】本発明の実施例に基づくテープカッターの右側面側からの後方斜視図である。
【図３】本発明の実施例に基づくテープカッターの左側面側からの前方斜視図である。
【図４】本発明の実施例に基づくテープカッターの底面図である。
【図５】本発明の実施例に基づくテープカッターの底面側からの前方斜視図である。
【図６】舌状部の構成及び取付状態を示す要部分解斜視図である。
【図７】本発明の実施例に基づくテープカッターの側面図である。
【図８】図４においてＡ−Ａ線で破断した要部断面図である。
【図９】本発明の実施例に基づくテープカッターの使用状態図である。
【図１０】従来のテープカッターの構成を示す前方斜視図である。
【符号の説明】
【００４６】
５  テープカッター
１０  本体部
１２  主側面パネル
１４  回転軸
２０  ガイド板部
３０  支持部
４０  副側面パネル
５０ａ、５０ｂ  テープガイド
６０  ガイドローラ
７０  刃部
８０ａ、８０ｂ  舌状部
【図１】
0003126661.tif 000003
【図２】
0003126661.tif 000004
【図３】
0003126661.tif 000005
【図４】
0003126661.tif 000006
【図５】
0003126661.tif 000007
【図６】
0003126661.tif 000008
【図７】
0003126661.tif 000009
【図８】
0003126661.tif 000010
【図９】
0003126661.tif 000011
【図１０】
0003126661.tif 000012